(57)【要約】【課題】強い衝撃を加えた場合でもビラを引き抜くことが不可能なサイドバー式シリンダー錠を提供すること。【解決手段】錠本体２と錠本体２に係脱可能なビラ３を有し、錠本体２は、可動部材８を可動自在に収容した可動部材収容室６０１と、ローター９を回動自在に収容したローター収容室６０３と、可動部材収容室６０１に連続したビラ挿入部６０２を具備するとともに、可動部材８はビラ３が係合する係合突起部１３と押圧部８０２を有し、ローター９は前記押圧部８０２を押圧するレバー９０３を備えたサイドバー式シリンダー錠において、前記係合突起部１３は、ビラ３における係合孔３０１の縁部が係止される係止面部１３０３を有するとともに、係止面部１３０３に、ビラの係合孔３０１の先端部が嵌合する凹陥部１３０１を形成した。【選択図】図１
2006124954.tif 000002
【特許請求の範囲】
【請求項１】
錠本体（２）と該錠本体（２）に係脱可能なビラ（３）とを有し、錠本体（２）は、可動部材収容室（６０１）と、ローター収容室（６０３）と、前記可動部収容室（６０１）に連続したビラ挿入部（６０２）と、前記可動部材収容室（６０１）内に可動自在に収容した可動部材（８）と、前記ローター収容室（６０３）内に回動自在に収容したローター（９）とを具備するとともに、前記可動部材（８）は、前記ビラ（３）が係合する係合突起部（１３）と押圧部（８０２）とを有し、前記ローター（９）は前記押圧部（８０２）を押圧するレバー（９０３）を備えたサイドバー式シリンダー錠において、
前記係合突起部（１３）は、ビラ（３）における係合孔（３０１）の縁部が係止される係止面部（１３０３）を有するとともに、前記係止面部（１３０３）に、ビラ（３）の先端部が嵌合する凹陥部（１３０１）を形成したことを特徴とするサイドバー式シリンダー錠。
【請求項２】
錠本体（２）と該錠本体（２）に係脱可能なビラ（３）とを有し、錠本体（２）は、可動部材収容室（６０１）と、ローター収容室（６０３）と、前記可動部収容室（６０１）に連続したビラ挿入部（６０２）と、前記可動部材収容室（６０１）内に可動自在に収容した可動部材（８）と、前記ローター収容室（６０３）内に回動自在に収容したローター（９）とを具備するとともに、前記可動部材（８）は前記ビラ（３）が係合する係合突起部（１３）と押圧部（８０２）とを有し、前記ローター（９）は前記押圧部（８０２）を押圧するレバー（９０３）を備えたサイドバー式シリンダー錠における前記係合突起部（１３）であって、ビラ（３）における係合孔（３０１）の縁部が係止される係止面部（１３０３）を有するとともに、前記係止面部（１３０３）に、ビラ（３）の先端部が嵌合する凹陥部（１３０１）を形成したことを特徴とするサイドバー式シリンダー錠に用いる係合突起部。
【請求項３】
前記可動部材（８）をスプリング（１１）により支持するとともに、該スプリング（１１）により可動部材（８）を下方側に付勢したことを特徴とする請求項１に記載のサイドバー式シリンダー錠。
【発明の詳細な説明】
【技術分野】
【０００１】
本発明は、鞄等に取り付けられるサイドバー方式のシリンダー錠に係り、より詳しくは、衝撃等を加えた場合でもビラが外れることのないサイドバー式シリンダー錠に関する。
【背景技術】
【０００２】
従来から、鞄等のファスナー部に錠を取りつけるときには、サイドバー方式のシリンダー錠（以下「サイドバー式シリンダー錠」という。）を用いることが一般的である。
【０００３】
このサイドバー式シリンダー錠について図面を参照して説明すると、図４はサイドバー式シリンダー錠を説明するための外観斜視図である。そして、図において１がサイドバー式シリンダー錠であり、このサイドバー式シリンダー錠１は、鞄等の本体に取りつけられる錠本体２と、この錠本体２に係脱可能なビラ３とを備えており、ビラ３は、図にも示されるように、鞄等におけるファスナーのつまみ部分４に取りつけられる。
【０００４】
ここで、図５は、前記錠本体２の構造を説明するための側断面図であり、錠本体２は、ケース本体６とこのケース本体６に装着される底蓋７とを備えるケース５を有しており、ケース本体６内には可動部材８が可動自在に配設されるとともに、ローター９が回動自在に挿装されている。
【０００５】
即ち、前記ケースを分解するとともに底面側から示した図７において、ケース本体６には、可動部材８を収容するための可動部材収容室６０１と、この可動部材収容室６０１に隣り合う配置で形成された、上部を開口としたローター収容室６０３とが備えられており、可動部材収容室６０１内に可動部材８が可動自在収容されており、ローター収容室６０３内にはローター９が回動自在に収容されている。また、ケース本体６には、前記可動部材収容室６０２に連続するとともにケース本体６の外部に連通した、ビラ３を錠本体６内へ挿入するためのビラ挿入部６０２が形成されている。そして、前記可動部材収容室６０１内にはピン１０が立設され、このピン１０には、ピン１０よりも所定の長さだけ長い寸法としたスプリング１１が遊嵌されている。なお、図において６０４は、ローター９に備えられたサイドバー９０２が係止される係止溝である。
【０００６】
次に、前記可動部材について説明すると、図６は前記可動部材８を示す斜視図であり、（Ａ）が上面側から示した斜視図であり、（Ｂ）が下面から示した斜視図である。そして、可動部材８の上面側、即ちケース本体６への挿入側にはスプリング挿入孔８０１が形成されており、このスプリング挿入孔８０１内に前記スプリング１１の一部及びピン１０の一部が挿入される配置で、可動部材８は可動部材収容室６０１内に収容されている。そしてこれにより、可動部材８は、スプリング１１により、底蓋７側へ付勢されつつ、ケース本体６の上方側へ可動自在とされている
【０００７】
一方、可動部材８の下面側には、側面形状を略直角三角形状とした係合突起部１２が形成されており、この係合突起部１２にビラ３が係合可能とされている。即ち、この係合突起部１２は、斜面部１２０１と係合面部１２０２とを有しており、斜面部１２０１がビラ挿入部６０２側になるような配置において、可動部材８は可動部材収容室６０１内に収容されている。そのため、ビラ挿入部６０２内からビラ３を挿入すると、このビラ３は、斜面部１２０１を摺動しつつ可動部材８をケース本体６の奥側へ押圧していき、即ち、ビラ３を挿入していくと可動部材８は上方側へ移動していき、ビラ３の係合孔３０１が係合突起部１２に係合すると、スプリング１１の付勢力により可動部材８は初期の位置に戻り、これにより、ビラ３が抜けなくなる。
【０００８】
また、可動部材８の下面には、隔壁８０４を介して、テーパー状とした押圧部８０２が形成されており、後述するローター９を回動して、ローター９に備えた押圧レバー９０３によりこの押圧部８０２を押圧することにより、可動部材８を上方側へ可動自在としている。
【０００９】
次にローター９について図８を参照して説明すると、このローター９は、一般的にシリンダー錠に用いられているローターと同様の構造であり、鍵板挿入孔９０１を有するとともに、この鍵板挿入孔９０１内に鍵板を挿入することにより退避するタンブラー（図示せず）が、鍵板挿入孔９０１内に突出するように備えられている。また、外周側にはサイドバー９０２が、ローター９側へ退避可能に備えられており、このサイドバー９０２は、鍵板を挿入しない状態ではローター９側への退避が阻止されており、鍵板を挿入してタンブラーを可動することにより、ローター９側への退避が可能となる。
【００１０】
そして、ローター９の外周には更に、前記可動部材８を押圧するための押圧レバー９０３が突出されており、ローター９を回動することで前記可動部材８を上側に押し上げ、これによりビラ３と係合突起部１２との係合を解除可能としている。即ち、前述したように、前記係合突起部１２における反ビラ挿入部側には、テーパー状とした押圧部８０２が形成されており、前記押圧レバー９０３は、押圧部８０２における、略水平状態とした最下部８０３に当接する配置でケース本体５内に収容されている。そのために、通常の状態では、可動部材８はスプリング１１により下方側に付勢され、これにより係合突起部１２の先端部は底蓋７に当接しているが、ローター９を回動すると、押圧レバー９０３によって可動部材８は上方へ押し上げられ、これにより可動部材８は完全に可動部材収容室６０１内に退避する。なお、このローター９は従来から用いられているものと同様であり周知であるために、詳細な説明は省略する。
【００１１】
次に、このように構成されるサイドバー式シリンダー状の作用について説明すると、図５に示す初期状態において、ビラ３をビラ挿入部６０２からケース５内に挿入していくと、ビラ３は可動部材８を上側に押し上げながらケース５内に進んで行き、ビラ３の係合孔３０１内に係合突起部１２に係合すると可動部材８が底蓋７側に戻り、これによりビラ３は抜けなくなる。この状態における可動部材８とビラ３との関係を示した断面図が図９である。
【００１２】
そしてこの状態で、鍵板挿入孔９０１内に鍵板を挿入してローター９を回転すると、ローター９に備えた押圧レバー９０３によって可動部材８は上方へ押し上げられて可動部材８は可動部材収容室６０１内に退避し、これによりビラ３を引き抜くことが可能となる。
【００１３】
このように、サイドバー式シリンダー錠では、ビラを挿入することのみで錠本体に対してビラを係合させ、この係合は、鍵板を鍵板挿入孔内に挿入して回動しない限り解除されないために、前述のように、鞄等の錠として用いられることが一般的である。
【発明の開示】
【発明が解決しようとする課題】
【００１４】
しかしながら、従来のサイドバー式シリンダー錠では、ビラ３の係合孔３０１を係合突起部１２に係合することのみでビラ３を錠本体２に係止しているため、また、可動部材８は容易にケース本体における上方側へ移動可能としていたため、錠本体に強い衝撃を与えると可動部材８が移動してしまい、それにより、ビラ３の係合孔３０１と係合突起部１２との係合が解除されてしまいビラを引き抜くことができてしまうという問題点が指摘されていた。
【００１５】
例えば、ビラに引き抜く方向への力をくわえながら、金槌等により錠本体に衝撃を加えた場合には、衝撃により可動部材８が可動してビラを引き抜くことが可能となってしまい、それにより容易に開錠することが可能であった。
【００１６】
そこで、本発明は、強い衝撃を加えた場合でもビラを引き抜くことが不可能なサイドバー式シリンダー錠を提供することを課題としている。
【課題を解決するための手段】
【００１７】
本発明のサイドバー式シリンダー錠は、錠本体と該錠本体に係脱可能なビラとを有し、錠本体は、可動部材収容室と、ローター収容室と、前記可動部収容室に連続したビラ挿入部と、前記可動部材収容室内に可動自在に収容した可動部材と、前記ローター収容室内に回動自在に収容したローターとを具備するとともに、前記可動部材は、前記ビラが係合する係合突起部と押圧部とを有し、前記ローターは前記押圧部を押圧するレバーを備えたサイドバー式シリンダー錠において、
前記係合突起部は、ビラにおける係合孔の縁部が係止される係止面部を有するとともに、前記係止面部に、ビラの先端部が嵌合する凹陥部を形成したことを特徴としている。
【発明の効果】
【００１８】
本発明のサイドバー式シリンダー錠では、ビラの係合孔の縁部が係止される係止面部に、係合孔の先端部が嵌合する凹陥部を形成しているために、単に可動部材を可動しただけではビラを引き抜くことが出来ず、従って、強い衝撃を与えた場合でもビラと錠本体との係合を解除することは不可能としている。
【００１９】
即ち、本発明のサイドバー式シリンダー錠においてビラを錠本体内に挿入した場合には、ビラの先端部は係合突起部における凹陥部に嵌合するため、この嵌合を解除するためにはビラを錠本体内へ進ませた状態で可動部材を可動させなければならない。そのため、錠本体に強い衝撃を加えて可動部材を可動させたのみではビラと係合突起部との係合を解除することができないのみならず、錠本体に強い衝撃を加えて可動部材を可動させた場合には、可動部材はビラを係合させた状態で可動してしまい、それによりビラが強く嵌合してしまい、ビラを引き抜くことが更に困難になってしまう。
【発明を実施するための最良の形態】
【００２０】
本発明のサイドバー式シリンダー錠では、錠本体と、この錠本体に係脱可能なビラとを有しており、錠本体は、底を開口としたケース本体とこのケース本体の底を閉塞している底蓋とを有している。
【００２１】
そして、ケース本体には、可動部材を可動自在に収容する可動部材収容室と、ローターを回動自在に収容するローター収容室と、可動部材収容室に連続して形成するとともに外部に連通させたビラ挿入部を有している。
【００２２】
更に、前記可動部材は、ビラが係合する係合突起部と、押圧部とを有しており、ローターは、係合突起部に形成した押圧部を押圧するレバーを備えている。
【００２３】
そして、係合突起部は、ビラにおける係合孔の縁部が係止される係止面部を有するとともに、前記係止面部には、ビラの先端部が嵌合する凹陥部を形成している。
【００２４】
ここで、可動部材をスプリングにより支持するとともに、このスプリングにより、可動部材を下方側に付勢するとよく、これにより、複雑な構造にすることなく可動部材を可動自在にすることが可能である。
【実施例１】
【００２５】
以下において本発明のサイドバー式シリンダーの実施例について図面を参照して説明するが、本実施例はビラが係合する係合突起部の構造に特徴があり、その他の部分は前述の従来のサイドバー式シリンダー錠と同様であるため、前述の従来のサイドバー式シリンダー錠と同様の部分には同一の符号を付する。
【００２６】
即ち、本実施例のサイドバー式シリンダー錠は、鞄等の本体に取りつけられる錠本体２と、この錠本体２に係脱可能なビラ３とを備えており、錠本体２は、ケース本体６とこのケース本体６に装着される底蓋７とを備えるケース５を有している。
【００２７】
ここで、図１は本実施例のサイドバー式シリンダー錠を構成する錠本体２の側断面図であり、この錠本体２は、従来のサイドバー式シリンダー錠と同様に、ケース本体６とこのケース本体６に装着される底蓋７とを備えるケース５を有しており、ケース本体６内には可動部材８が可動自在に収容される可動部材収容室６０１と、ローター９が回動自在に収容されるローター収容室６０３と、更に、外部に連通するとともに前記可動部材収容室６０１に連続して形成されたビラ挿入部６０２が形成されている。そして更に、可動部材収容室６０１内にはピン１０が立設されているとともに、このピン１０には、ピン１０よりも所定の長さだけ長い寸法としたスプリング１１が遊嵌されている。
【００２８】
また、ローター９は、一般的にシリンダー錠に用いられているローターと同様に、鍵板挿入孔９０１を有するとともに、この鍵板挿入孔９０１内に鍵板を挿入することにより退避するタンブラーが鍵板挿入孔９０１内に突出するように備えられており（図示せず）、外周側にはサイドバー９０２がローター９側へ退避可能に備えられ、鍵板を挿入してタンブラーを可動することにより、サイドバー９０２がローター９側へ退避可能となる。そして、ローター９の外周には、可動部材１３をケース本体における上方側へ押圧するための押圧レバー９０３が突出されている。
【００２９】
次に、前記可動部材８について説明すると、本実施例における可動部材８は、前述の従来の可動部材８と同様に、上面側にはスプリング挿入孔８０１が形成され（図６参照）、このスプリング挿入孔８０１内に前記スプリング１１の一部及びピン１０の一部が挿入される配置で、可動部材８は可動部材収容室６０１内に収容され、これにより、可動部材８は、スプリング１１により、底蓋７側へ付勢されつつ、ケース本体６の上方側へ可動自在とされている。
【００３０】
ここで、図２は、前記可動部材８を底側から示す斜視図であり、本実施例における可動部材８における下面側には、ビラ３が係止される係合突起部１３が形成されており、この係合突起部１３には、ビラ３の先端部が嵌合する凹陥部１３０１が形成されている。
【００３１】
即ち、前記係合突起部１３は、ビラ挿入部６０２より挿入させたビラ３が摺動する摺動面部１３０２と、ビラ３の係合孔３０１の先端部が係止される係合面部１３０３を有しており、この係合面部１３０３には、ビラ３の先端部が嵌合する凹陥部１３０１が形成されている。そして、前記摺動面部１３０２は、ビラ３の上面が摺動しつつ可動部材８を上方へ押し上げることが可能な略湾曲状としており、この摺動面部１３０２の先端部を上方側へ延出させて係合面部１３０３を形成し、更に、この係合面部１３０３に、ビラ３の先端部が嵌合可能な凹陥部１３０１を形成している。
【００３２】
このように、本実施例においては、係合突起部１３の係合面部１３０３に凹陥部１３０１を形成しているために、錠本体２内にビラ３を挿入すると、このビラ３の先端部は凹陥部１３０１内に嵌合し、可動部材８が上方側へ可動した場合でもビラ３を引き抜くことが不可能になる。従って、本実施例によれば、錠本体２に強い衝撃を加えた場合でも開錠することは困難である。
【００３３】
なお、可動部材８の下面における、反ビラ挿入部側には、前述の従来の可動部材と同様に、テーパー状の押圧部８０２が形成されており、前記ローター９に備えた押圧レバー９０３は、この押圧部８０２と摺動しつつ、可動部材８を上方へ押し上げることを可能としている。
【００３４】
次に、このように構成される本実施例のサイドバー式シリンダー錠の作用について説明すると、ビラ３をビラ挿入部６０２より錠本体２内に挿入していくと、このビラ３は、係合突起部１３における摺動面部１３０２と摺動しつつ、可動部材８を上方へ押し上げていく。そして更にビラ３を押し進めていくと、ビラ３の係合孔３０１内に係合突起部１３が係合するとともに、それにより可動部材８は下方側、即ちビラ３を挿入する前の位置に戻り、これによりビラ３は係合突起部１３に係合される。
【００３５】
そして、その状態でビラ３を僅かに手前側に引くと、ビラ３の先端部が凹陥部１３０１内に嵌合し、これによりビラ３は完全に係合突起部１３に係合する。この状態における可動部材８とビラ３との関係を示した断面図が図３であり、この状態においては、ビラ３の先端部が凹陥部１３０１内に嵌合しているために、可動部材８を上方へ可動させつつビラ３を引いただけではビラ３と係合突起部１３との係合は解除されない。そのために、開錠するためには、ビラ３を一旦錠本体側へ押し込み、それによってビラ３の先端部と凹陥部１３０１との嵌合を解除して、その状態で、ローター９を回転させる。そうすると、ローター９の回転に伴って、押圧レバー９０３が押圧部８０２と摺動しつつ可動部材８を上方へ押し上げ、それによりビラ３を引き抜くことが可能となる。
【００３６】
このように、本実施例のサイドバー式シリンダー錠では、ビラ３を一旦押し込まなければビラ３を引き抜くことができないため、単に錠本体２に強い衝撃を加えて可動部材８を上方へ可動させただけではビラ３を引き抜くことができず、この場合には、可動部材３の上方への移動に伴って、ビラ３も、凹陥部１３０１に嵌合した状態で上方へ移動してしまい係合突起部１３とビラ３との係合が強くなってしまう。そのため、従来のサイドバー式シリンダーと異なり、錠本体に強い衝撃を加えての不正開錠を有効に防止することが可能である。
【産業上の利用可能性】
【００３７】
本発明は、錠本体に強い衝撃が加わった際における開錠を有効に防止可能であるために、鞄等の錠のみならず、その他、窓、引き戸等、ビラによって施錠可能な場所に用いる錠全般に適用可能である。
【図面の簡単な説明】
【００３８】
【図１】本発明のサイドバー式シリンダーの実施例の構造を説明するための断面図である。
【図２】本発明のサイドバー式シリンダーの実施例における可動部材を下面から示した斜視図である。
【図３】本発明のサイドバー式シリンダーの実施例における可動部材とサイドバーとの係合関係を示す断面図である。
【図４】従来のサイドバー式シリンダー錠を説明するための斜視図である。
【図５】従来のサイドバー式シリンダー錠の構造を説明するための断面図である。
【図６】従来のサイドバー式シリンダー錠における可動部材を説明するための斜視図である。
【図７】従来のサイドバー式シリンダー錠におけるケースを説明するための斜視図である。
【図８】従来のサイドバー式シリンダー錠におけるローターを説明するための斜視図である。
【図９】従来のサイドバー式シリンダー錠における可動部材とサイドバーとの係合関係を示す断面図である。
【符号の説明】
【００３９】
１    サイドバー式シリンダー錠
２    錠本体
３    ビラ
４    ファスナーのつまみ部分
５    ケース
６    ケース本体
６０１    可動部材収容室
６０２    ビラ挿入部
６０３    ローター収容室
６０４    サイドバーが係止される係止溝
７    底蓋
８    可動部材
８０１    スプリング挿入孔
８０２    押圧部
８０３    押圧部の最下部
８０４    隔壁
９    ローター
９０１    鍵板挿入孔
９０２    サイドバー
９０３    押圧レバー
１０    ピン
１１    スプリング
１２    係合突起部
１２０１    斜面部
１２０２    係合面部
１３    係合突起部
１３０１    凹陥部
１３０２    摺動面部
１３０３    係合面部
【図１】
2006124954.tif 000003
【図２】
2006124954.tif 000004
【図３】
2006124954.tif 000005
【図４】
2006124954.tif 000006
【図５】
2006124954.tif 000007
【図６】
2006124954.tif 000008
【図７】
2006124954.tif 000009
【図８】
2006124954.tif 000010
【図９】
2006124954.tif 000011